(57)【要約】【課題】腕の自由度を向上して自由に抱えたり、持ち上げることができるようにする。【解決手段】頭頂部カバー２と、頭頂部カバー２の左右いずれかの下側に横方向外側に連結した肩上部カバー３と、肩上部カバー３の外側に上側を連結した腕部通しカバー４と、腕部通しカバー４の下側に連結した手部カバー５とを、非伸縮性で可撓性の布又はシート材によって形成する。被搬送物Ｉの荷重は手Ｈ、腕Ｆの他に頭などの筋肉によって抗することができる。【選択図】図１
2010024567.tif 000002
【特許請求の範囲】
【請求項１】
頭頂部カバーと、この頭頂部カバーの左右いずれかの下側に横方向外側に連結した肩上部カバーと、この肩上部カバーの外側に上側を連結した腕部通しカバーと、この腕部通しカバーの下側に連結した手部カバーとを、非伸縮性で可撓性の布又はシート材によって形成したことを特徴とする腕部負担軽減具。
【請求項２】
頭頂部カバーと、この頭頂部カバーの左右の下側に左右外側にそれぞれ連結した左右一対の肩上部カバーと、これら肩上部カバーの左右外側に上側をそれぞれ連結した左右一対の腕部通しカバーと、これら腕部通しカバーの下側にそれぞれ連結した手部カバーとを、非伸縮性で可撓性の布又はシート材によって形成したことを特徴とする腕部負担軽減具。
【発明の詳細な説明】
【技術分野】
【０００１】
本発明は、人の介護や幼児、小動物や荷物等を抱いたり、持ち上げる際に腕の負担を軽減する腕部負担軽減具に関するものである。
【背景技術】
【０００２】
重量物や袋物など各種の物を持ち上げ、運ぶ作業には力を要する。例えば、人の介護にあっては介護人は年齢を問わずに腰痛に悩まされており、各種の支障が生じている。また、身体障害者等の抱き込み作業においても介護者は腰痛に悩まされている。
【０００３】
例えば、腕部負担軽減具として下腕支持部と、該下腕支持部と回動自在に連結された上腕支持部と、該上腕支持部と回動自在又は固定されて連結された肩部装着部とから構成されており、下腕支持部と上腕支持部とが腕の屈曲する方向に付勢される付勢部材を有し、業補助具を装着した際に、荷物の荷重の一部を付勢部材が負担することになって、人体に掛かる負担が減少して作業を楽に行えるようにする作業補助具が知られている（例えば、特許文献１）。
【特許文献１】特開２０００−２３３８１３公報
【発明の開示】
【発明が解決しようとする課題】
【０００４】
従来技術においては、下腕支持部、上腕支持部、肩部装着部がリンクのように折り曲げするものであり、荷物等を抱えたり、持ち上げる際の腕の自由度は低いという問題がある。したがって、荷物が複雑な形状をしていたり、或いは自由に動き回る幼児、小動物を抱えたり、持ち上げるには動きの自由度が低いので使用しにくいという問題があった。
【０００５】
解決しようとする問題点は、幼児、小動物や荷物等を抱えたり、持ち上げる際に腕の負担を軽減する腕部負担軽減具において、腕の自由度を向上して自由に抱えたり、持ち上げることができるようにする点である。
【課題を解決するための手段】
【０００６】
請求項１の発明は、頭頂部カバーと、この頭頂部カバーの左右いずれかの下側に横方向外側に連結した肩上部カバーと、この肩上部カバーの外側に上側を連結した腕部通しカバーと、この腕部通しカバーの下側に連結した手部カバーとを、非伸縮性で可撓性の布又はシート材によって形成したことを特徴とする腕部負担軽減具である。
【０００７】
請求項２の発明は、頭頂部カバーと、この頭頂部カバーの左右の下側に左右外側にそれぞれ連結した左右一対の肩上部カバーと、これら肩上部カバーの左右外側に上側をそれぞれ連結した左右一対の腕部通しカバーと、これら腕部通しカバーの下側にそれぞれ連結した手部カバーとを、非伸縮性で可撓性の布又はシート材によって形成したことを特徴とする腕部負担軽減具である。
【発明の効果】
【０００８】
請求項１の発明によれば、被搬送物の荷重は、手部カバー、腕部通しカバー、肩上部カバー、頭頂部カバーにそれぞれ対応した筋力により抗することができる。
【０００９】
請求項２の発明によれば、被搬送物の荷重に対して、両手、両腕による大きな力、耐久力を発揮することができる。
【発明を実施するための最良の形態】
【００１０】
本発明における好適な実施の形態について、添付図面を参照して説明する。尚、以下に説明する実施の形態は、実用新案登録請求の範囲に記載された本発明の内容を限定するものではない。また、以下に説明される構成の全てが、本発明の必須要件であるとは限らない。
【実施例１】
【００１１】
図１〜４は実施例１を示しており、腕部負担軽減具１は、非伸縮性で可撓性の布又はシート（フィルムを含む）によって形成されている。具体的にはナイロンやポリエステルの基布、ビニールレザー、人工皮革のような合成樹脂材料、麻や木綿、皮革、スエード或いは帆布などの自然材料によって形成される。そして、腕部負担軽減具１は、頭頂部カバー２と、この頭頂部カバー２の左右の下側に左右外側にそれぞれ連結した左右一対の肩上部カバー３と、これら肩上部カバー３の左右外側に上側をそれぞれ連結した左右一対の腕部通しカバー４と、これら腕部通しカバー４の下側にそれぞれ連結した手部カバー５とを備える。
【００１２】
頭頂部Ａを上方から覆う前記頭頂部カバー２は、水泳帽子のように上方へ突設する略半円球殻状又はドーム状であって、この頭頂部カバー２の下側に頭下側部Ｂを覆う頭下側部カバー部６が連結している。この頭下側部カバー部６は、平面が後方へ突設する略半円或いは略円弧状であって、頭下側部Ｂの後側と左右側を覆うようになっている。尚、目鼻等の顔面部Ｃをあらわすように頭頂部カバー２の前面下部には顔面部開口部７が下方に向けて形成されている。
【００１３】
この頭下側部カバー部６の下側部に首部カバー８を設ける。この首部カバー８は、平面が後方へ突設する略半円或いは略円弧状であって、首部Ｄの後側と左右側を覆うようになっている。尚、図中９は顔面部開口部７の下方を開口した開口部を示している。
【００１４】
さらに、首部カバー８の下側の左右に肩上部カバー部３をそれぞれ左右外側に向けて設ける。この肩上部カバー３は、肩部Ｅの上面とそれに連なる前面及び後面を覆うように上面部10の他に前面部11、後面部12を有しており、肩部Ｅの左右長さの全幅を覆うようになっている。
【００１５】
前記肩上部カバー３の左右外側に連結する前記腕部通しカバー４は、洋服における袖と同様に腕部Ｆが遊嵌或いは密着して挿入するような筒形状をなしており、この腕部通しカバー４の長さは腕部Ｆの長さとほぼ同じに形成されていると共に、内径は腕部Ｆの径より多少大きかったり、或いは多少小さく形成されている。そして、腕部通しカバー４の上側の上面13が肩上部カバー３の左右外側に連結されることにより、腕部通しカバー４の上側の下面、前後面側には腕挿入口14となる開口部が形成されている。
【００１６】
前記腕部通しカバー４の下側に連結する手首部Ｇ及び手部Ｈを覆う手部カバー５は、手部Ｈの少なくとも掌Ｊを覆う掌部カバー部15が設けられるもので、この手部カバー５が大きく手部Ｈを滑ることがないように固定するため手部カバー５は、手部Ｈの甲Ｋを覆う甲部カバー部16をも備えている指なしの手袋状に形成されている。尚、この手部カバー５の大きさは指部Ｌが多少動くように手部Ｈよりは多少大きめに形成したり、或いは手部Ｈに密着するように多少小さく形成されている。そして、腕部通しカバー４の下側と手部カバー５の上側は手部Ｈが挿入できるように連通している。
【００１７】
そして、図３、４に示すように頭頂部カバー２により前頭筋Ｍ、側頭筋Ｎや後頭筋Ｏ等を覆うことができる。頭下側部カバー部６により頭半棘筋Ｐ等を覆うことができる。首部カバー８により胸鎖乳突筋Ｑ等を覆うようになっている。肩上部カバー３により、三角筋Ｒ等が覆われる。腕部通しカバー４の上部側により、上腕二頭筋Ｓ、上腕三頭筋Ｔ等が覆われると共に、腕部通しカバー４の下部側により、腕撓骨筋Ｖ、屈筋群Ｗ、伸筋群Ｘ等が覆われることとなる。手部カバー５により拇指球筋Ｙや小指球筋Ｚ等が覆われる。
【００１８】
次に前記構成についてその作用を説明する。腕部負担軽減具１を身につけるときは、フード付きの洋服の上着を着るように、まず両腕部Ｆを腕挿入口14より挿入し貫通して手部Ｈを手部カバー５に挿入すると共に、肩上部カバー３を肩部Ｅの上方から覆う。さらに、頭頂部カバー２を頭頂部Ａの上方から覆うことにより、首部Ｄは首部カバー８によって覆われる。尚、腕部負担軽減具１を身につけたとき、顔面部Ｃは顔面部開口部７によってあらわれて、目や口が覆われるようなことはない。
【００１９】
そして、掌部カバー部15を被搬送物Ｉに当てて握るようにして持ち上げて、運搬するときには、被搬送物Ｉの荷重は手部カバー５、腕部通しカバー４、肩上部カバー３、首部カバー８、頭下側部カバー部６、頭頂部カバー２へと大幅に伸びるようなことなく伝達されることとなる。この荷重に対して、手部カバー５では拇指球筋Ｙや小指球筋Ｚ等が抗すると共に、腕部通しカバー４では腕撓骨筋Ｖ、屈筋群Ｗ、伸筋群Ｘ等が抗する。
【００２０】
さらに、前記筋のみならず、実施例では肩上部カバー３では三角筋Ｒ等、首部カバー８では胸鎖乳突筋Ｑ等、頭下側部カバー部６では頭半棘筋Ｐ等、頭頂部カバー２では前頭筋Ｍ、側頭筋Ｎや後頭筋等が抗することができる。
【００２１】
したがって、拇指球筋Ｙや小指球筋Ｚ等、腕撓骨筋Ｖ、屈筋群Ｗ、伸筋群Ｘ等のみならず、三角筋Ｒ等、胸鎖乳突筋Ｑ等、頭半棘筋Ｐ等、前頭筋Ｍ、側頭筋Ｎや後頭筋等を用いて被搬送物Ｉを持ち上げて搬送できるので、重いものである場合或いは長時間持ち続けるような場合でも簡単に行うことができる。
【００２２】
以上のように、前記実施例では請求項１に対応して頭頂部カバー２と、この頭頂部カバー２の左右いずれかの下側に横方向外側に連結した肩上部カバー３と、この肩上部カバー３の外側に上側を連結した腕部通しカバー４と、この腕部通しカバー４の下側に連結した手部カバー５とを、非伸縮性で可撓性の布又はシート材によって形成したことにより、被搬送物Ｉの荷重は手部カバー５、腕部通しカバー４、肩上部カバー３、首部カバー８、頭下側部カバー部６、頭頂部カバー２にそれぞれ対応した筋力を利用することができるので、より大きな力、耐久力を発揮することができる。したがって、腕力の軽減、ひいては腰に加わる付加を低減して介護、重量物の移動などにおいて腰痛などが生じにくくなる。
【００２３】
前記実施例では請求項２に対応して、頭頂部カバー２と、この頭頂部カバー２の左右の下側に左右外側にそれぞれ連結した左右一対の肩上部カバー３と、これら肩上部カバー３の左右外側に上側をそれぞれ連結した左右一対の腕部通しカバー４と、これら腕部通しカバー４の下側にそれぞれ連結した手部カバー５とを、非伸縮性で可撓性の布又はシート材によって形成したことにより、被搬送物Ｉの荷重は左右の手部カバー５、左右の腕部通しカバー４、左右の肩上部カバー３、首部カバー８、頭下側部カバー部６、頭頂部カバー２にそれぞれ対応した筋力を利用することができるので、両手、両腕により大きな力、耐久力を発揮することができる。
【００２４】
さらに、実施例では腕部負担軽減具１は、荷重に耐える耐強度を有し非伸縮性で可撓性のナイロンやポリエステルの基布、ビニールレザー、人工皮革のような合成樹脂材料、麻や木綿、皮革、スエード或いは帆布などの自然材料によって形成されるので、腕部Ｆを腕部通しカバー４に挿入すると共に手部Ｈを手部カバー５に挿入し、そして頭頂部カバー２を頭頂部Ａに被せるだけで、上着を着るような感覚で簡単に装着することができると共に、腕部Ｆなど体の動きも上着を着ているような感覚で軽快に動かすことができる。
【００２５】
しかも、手部カバー５は指部Ｌの先端まで覆っているので、指先に加わる荷重も軽減することができる。
【実施例２】
【００２６】
次に他の実施例について説明する。尚、前記実施例１と同一部分には同一符号を付し、その詳細な説明を省略する。
【００２７】
図５，６に示す実施例２は、肩上部カバー３の前面下方に胸部を覆う胸部カバー17を設け、肩上部カバー３の後面下方に背部を覆う背部カバー18を設けると共に、これら胸部カバー17の左右脇と、背部カバー18の左右脇を一体に連結したものである。
【００２８】
また、掌部カバー部15を有する手部カバー５は、それぞれの指部Ｌがそれぞれ突出できるように第１乃至第５の指出し孔19が形成されている。
【００２９】
したがって、実施例２においては、腕部負担軽減具１を身につけるときは、両腕部Ｆを腕挿入口14より挿入し貫通して手部Ｈを手部カバー５Ａに挿入すると共に、頭部を胸部カバー17と背部カバー18の間に挿入して肩上部カバー３を肩上部の上方から覆う。さらに、頭頂部カバー２を頭頂部Ａの上方から覆うことにより、首部Ｄは首部カバー８によって覆われる。また、手部カバー５Ａに挿入した手部Ｈにおいては、指出し孔19より指部Ｌが突出した状態で掌Ｊや甲Ｋが覆われた状態で手に手部カバー５Ａは一体的となって固定されている。尚、実施例２においては、首部カバー８は、首部Ｄの後側を覆わずに左右側のみを覆っている。
【００３０】
そして、掌部カバー部15を被搬送物Ｉに当てて握るようにして持ち上げて、運搬するときには、被搬送物Ｉの荷重は腕部通しカバー４、肩上部カバー３、首部カバー８、頭下側部カバー部６、頭頂部カバー２へと大幅に伸びるようなことなく伝達され、これら各部に対向する筋肉によって抗することができる。
【００３１】
このような実施例３においては、実施例１と同様に被搬送物Ｉが重いものである場合或いは長時間持ち続けるような場合でも簡単に行うことができる。さらに胸部カバー17と背部カバー18を一体に設けた胴部カバーにより、身につけたときの腕部負担軽減具１の装着ずれを少なくすることができる。また、手部カバー５においては、指出し孔19を設けたことにより、この孔から指を出して細かい作業も行うことができる。
【実施例３】
【００３２】
図７，８に示す実施例３は、肩上部カバー３の前面下方に胸部を覆う縦長さの短い胸部カバー17を設け、肩上部カバー３の後面下方にも背部を覆う縦長さの短い背部カバー18を設けたものである。尚、顔面部開口部７には網部材からなる顔面部Ｃカバーが設けられている。
【００３３】
また、掌部カバー部15を有する手部カバー５Ｂは、それぞれの指部Ｌが挿入するように第１乃至第５の指部カバー部20が形成されている。
【００３４】
したがって、実施例３においては、腕部負担軽減具１を身につけるときは、両腕部Ｆを腕挿入口14より挿入し貫通して手部Ｈを手部カバー５Ｂに挿入すると共に、頭部を胸部カバー17と背部カバー18の間に挿入して肩上部カバー３を肩上部の上方から覆う。さらに、頭頂部カバー２を頭頂部Ａの上方から覆うことにより、首部Ｄは首部カバー８によって覆われると共に、顔面は顔面部Ｃカバーにより覆われる。また、手部カバー５Ｂに挿入した手部Ｈにおいては、指カバー部に指を挿入し掌Ｊや甲Ｋが覆われた状態で手に手部カバー５Ｂは一体的となって固定されている。
【００３５】
そして、掌部カバー部15を被搬送物Ｉに当てて握るようにして持ち上げて、運搬するときには、被搬送物Ｉの荷重は腕部通しカバー４、肩上部カバー３、首部カバー８、頭下側部カバー部６、頭頂部カバー２へと大幅に伸びるようなことなく伝達され、これら各部に対向する筋肉によって抗することができる。
【００３６】
このような実施例３においては、実施例１と同様に被搬送物Ｉが重いものである場合或いは長時間持ち続けるような場合でも簡単に行うことができる。さらに胸部カバー17と背部カバー18を一体に設けたことにより、身につけたときの肩部Ｅまわりで腕部負担軽減具１の装着ずれを少なくすることができる。また、手部カバー５においては、指部カバー部20を設けたことにより、この指部カバー部20に指部Ｌを挿入して作業することで細かい作業も行うことができる。さらに、顔面部カバー７Ａを設けたことにより、頭部の全体を覆うことができるので、頭頂部カバー２の位置ずれなどが生じにくくなり、固定力を向上することができる。
【実施例４】
【００３７】
図９，10に示す実施例４は、腕部通しカバー４は腕部Ｆ全体を覆うものではなく、腕部通しカバー４に内外を連通する連通部21を切り欠きなどによって設けたものである。さらに、手部カバー５Ｃは被搬送物Ｉを掴み易くするため、例えば引っ掛け可能な鍵形形状に予め固定状態に形成されているものである。
【００３８】
このように、連通部21を設けたことにより前記実施例の作用効果の他に、腕部通しカバー４における通気性或いは可撓性の向上を図ることができる。また、手部カバー５Ｃは例えば引っ掛けやすいように鍵形形状にするなど機能的な形状とすることで、腕部負担軽減具１を例えば運搬用など専用のものとして提供することができる。
【産業上の利用可能性】
【００３９】
以上のように本発明にかかる腕部負担軽減具は、各種の用途に適用できる。例えば、駅プラットホームでの弁当等の肩掛け移動販売など各種の用途に利用することができる。
【図面の簡単な説明】
【００４０】
【図１】本発明の第１実施例を示す一部を拡大した正面図である。
【図２】同背面図である。
【図３】同人体の筋肉を示す正面図である。
【図４】同人体の筋肉を示す背面図である。
【図５】本発明の第２実施例を示す一部を拡大した正面図である。
【図６】同背面図である。
【図７】本発明の第３実施例を示す一部を拡大した正面図である。
【図８】同背面図である。
【図９】本発明の第４実施例を示す一部を拡大した正面図である。
【図１０】同背面図である。
【符号の説明】
【００４１】
２  頭頂部カバー
３  肩上部カバー
４  腕部通しカバー
５  手部カバー
【図１】
2010024567.tif 000003
【図２】
2010024567.tif 000004
【図３】
2010024567.tif 000005
【図４】
2010024567.tif 000006
【図５】
2010024567.tif 000007
【図６】
2010024567.tif 000008
【図７】
2010024567.tif 000009
【図８】
2010024567.tif 000010
【図９】
2010024567.tif 000011
【図１０】
2010024567.tif 000012